(57)【要約】      （修正有）【課題】所定の機能を使用している無線機を基準とした発呼の抑制を行うことができる無線通信装置を提供する。【解決手段】無線通信装置１は、第１の無線機から所定の機能の開始通知及び所定の機能の終了通知を受信する第１の受信部１０と、第２の無線機への個別音声通信の発呼許可要求を第３の無線機から受信する第２の受信部２０と、第１の無線機と第２の無線機との間の距離を取得する取得部３０と、第１の無線機から所定の機能の開始通知を受信してから終了通知を受信するまでの間に、第２の無線機への個別音声通信の発呼許可要求を第３の無線機から受信した場合、第１の無線機と第２の無線機との間の距離が所定距離以内のときには、発呼許可要求に対して不許可と判定する判定部４０と、発呼許可要求に対して不許可とする回答を第３の無線機へ送信する送信部５０と、を備える。【選択図】図２
2019153901.tif 000002
【特許請求の範囲】
【請求項１】
第１の無線機から所定の機能の開始通知及び前記所定の機能の終了通知を受信する第１の受信部と、
第２の無線機への個別音声通信の発呼許可要求を第３の無線機から受信する第２の受信部と、
前記第１の無線機と前記第２の無線機との間の距離を取得する取得部と、
前記開始通知を受信してから前記終了通知を受信するまでの間に、前記発呼許可要求を受信した場合、前記距離が所定距離以内のときには、前記発呼許可要求に対して不許可と判定する判定部と、
前記発呼許可要求に対して不許可とする回答を前記第３の無線機へ送信する送信部と、
を備える無線通信装置。
【請求項２】
第１の無線機から所定の機能の開始通知及び前記所定の機能の終了通知を受信する第１の受信部と、
複数の第２の無線機で構成される無線機グループへのグループ音声通信の発呼許可要求を第３の無線機から受信する第２の受信部と、
前記第１の無線機と前記複数の第２の無線機との間の各距離を取得する取得部と、
前記開始通知を受信してから前記終了通知を受信するまでの間に、前記発呼許可要求を受信した場合、前記各距離に基づいて、前記発呼許可要求に対して不許可と判定する判定部と、
前記発呼許可要求に対して不許可とする回答を前記第３の無線機へ送信する送信部と、
を備える無線通信装置。
【請求項３】
第１の無線機から所定の機能の開始通知及び前記所定の機能の終了通知を受信する第１の受信部と、
第２の無線機への個別音声通信の発呼許可要求を第３の無線機から受信する第２の受信部と、
前記第１の無線機が属するグループのＩＤである第１グループＩＤと前記第２の無線機が属するグループのＩＤである第２グループＩＤとを取得する取得部と、
前記開始通知を受信してから前記終了通知を受信するまでの間に、前記発呼許可要求を受信した場合、前記第１グループＩＤと前記第２グループＩＤとが一致するときには、前記発呼許可要求に対して不許可と判定する判定部と、
前記発呼許可要求に対して不許可とする回答を前記第３の無線機へ送信する送信部と、
を備える無線通信装置。
【請求項４】
第１の無線機から所定の機能の開始通知及び前記所定の機能の終了通知を受信する第１の受信部と、
複数の第２の無線機で構成される無線機グループへのグループ音声通信の発呼許可要求を第３の無線機から受信する第２の受信部と、
前記第１の無線機が属するグループのＩＤである第１グループＩＤと前記グループ音声通信の宛先のグループのＩＤである第２グループＩＤとを取得する取得部と、
前記開始通知を受信してから前記終了通知を受信するまでの間に、前記発呼許可要求を受信した場合、前記第１グループＩＤと前記第２グループＩＤとが一致するときには、前記発呼許可要求に対して不許可と判定する判定部と、
前記発呼許可要求に対して不許可とする回答を前記第３の無線機へ送信する送信部と、
を備える無線通信装置。
【請求項５】
前記取得部は、前記第１の無線機が属するグループのＩＤである第１グループＩＤと前記第２の無線機が属するグループのＩＤである第２グループＩＤとをさらに取得し、
前記判定部は、前記開始通知を受信してから前記終了通知を受信するまでの間に、前記発呼許可要求を受信した場合、前記距離が所定距離以内か否か及び前記第１グループＩＤと前記第２グループＩＤとが一致するか否かに基づいて、前記発呼許可要求に対して不許可と判定する、
請求項１に記載の無線通信装置。
【請求項６】
前記取得部は、前記第１の無線機が属するグループのＩＤである第１グループＩＤと前記グループ音声通信の宛先のグループのＩＤである第２グループＩＤとをさらに取得し、
前記判定部は、前記開始通知を受信してから前記終了通知を受信するまでの間に、前記発呼許可要求を受信した場合、前記各距離が所定距離以内か否か及び前記第１グループＩＤと前記第２グループＩＤとが一致するか否かに基づいて、前記発呼許可要求に対して不許可と判定する、
請求項２に記載の無線通信装置。
【請求項７】
前記所定の機能は拡声機能である、請求項１〜６のいずれか１項に記載の無線通信装置。
【請求項８】
前記第１の受信部は、前記開始通知とともに前記拡声機能の音量を前記第１の無線機から受信し、
前記判定部は、前記発呼許可要求に対して不許可とするか許可とするかの判定に前記拡声機能の音量も用いる、
請求項７に記載の無線通信装置。
【発明の詳細な説明】
【技術分野】
【０００１】
本発明は無線通信装置に関し、特に、無線機による発呼を抑制する無線通信装置に関する。
【背景技術】
【０００２】
無線機による発呼を抑制する技術が知られている。特許文献１には、着信先の移動局が位置するエリアが音声着信不可エリアである場合に、音声による着信が許容されていない旨を発信元の移動局に通知する技術が開示されている。特許文献１に開示の技術により、音声着信不可エリアに位置する移動局に対する発呼を抑制することができる。
【先行技術文献】
【特許文献】
【０００３】
【特許文献１】特開平１０−２３４０８２号公報
【発明の概要】
【発明が解決しようとする課題】
【０００４】
本件発明者は、無線機が所定の機能を使用している際に、この無線機の近くに位置する無線機から音声が再生されると、所定の機能が妨げられることに想到した。特許文献１に開示の技術では、予め設定された音声着信不可エリアに位置する移動局に対する発呼を抑制することはできるが、所定の機能を使用している無線機を基準とした発呼の抑制を行うことはできないという問題があった。
【０００５】
本発明は、このような問題点を解決するためになされたものであり、所定の機能を使用している無線機を基準とした発呼の抑制を行うことができる無線通信装置を提供することを目的とする。
【課題を解決するための手段】
【０００６】
そこで、本発明は、第１の無線機から所定の機能の開始通知及び前記所定の機能の終了通知を受信する第１の受信部と、第２の無線機への個別音声通信の発呼許可要求を第３の無線機から受信する第２の受信部と、前記第１の無線機と前記第２の無線機との間の距離を取得する取得部と、前記開始通知を受信してから前記終了通知を受信するまでの間に、前記発呼許可要求を受信した場合、前記距離が所定距離以内のときには、前記発呼許可要求に対して不許可と判定する判定部と、前記発呼許可要求に対して不許可とする回答を前記第３の無線機へ送信する送信部と、を備える無線通信装置を提供する。
【０００７】
また、本発明は、第１の無線機から所定の機能の開始通知及び前記所定の機能の終了通知を受信する第１の受信部と、複数の第２の無線機で構成される無線機グループへのグループ音声通信の発呼許可要求を第３の無線機から受信する第２の受信部と、前記第１の無線機と前記複数の第２の無線機との間の各距離を取得する取得部と、前記開始通知を受信してから前記終了通知を受信するまでの間に、前記発呼許可要求を受信した場合、前記各距離に基づいて、前記発呼許可要求に対して不許可と判定する判定部と、前記発呼許可要求に対して不許可とする回答を前記第３の無線機へ送信する送信部と、を備える無線通信装置を提供する。
【０００８】
また、本発明は、第１の無線機から所定の機能の開始通知及び前記所定の機能の終了通知を受信する第１の受信部と、第２の無線機への個別音声通信の発呼許可要求を第３の無線機から受信する第２の受信部と、前記第１の無線機が属するグループのＩＤである第１グループＩＤと前記第２の無線機が属するグループのＩＤである第２グループＩＤとを取得する取得部と、前記開始通知を受信してから前記終了通知を受信するまでの間に、前記発呼許可要求を受信した場合、前記第１グループＩＤと前記第２グループＩＤとが一致するときには、前記発呼許可要求に対して不許可と判定する判定部と、前記発呼許可要求に対して不許可とする回答を前記第３の無線機へ送信する送信部と、を備える無線通信装置を提供する。
【０００９】
さらに、本発明は、第１の無線機から所定の機能の開始通知及び前記所定の機能の終了通知を受信する第１の受信部と、複数の第２の無線機で構成される無線機グループへのグループ音声通信の発呼許可要求を第３の無線機から受信する第２の受信部と、前記第１の無線機が属するグループのＩＤである第１グループＩＤと前記グループ音声通信の宛先のグループのＩＤである第２グループＩＤとを取得する取得部と、前記開始通知を受信してから前記終了通知を受信するまでの間に、前記発呼許可要求を受信した場合、前記第１グループＩＤと前記第２グループＩＤとが一致するときには、前記発呼許可要求に対して不許可と判定する判定部と、前記発呼許可要求に対して不許可とする回答を前記第３の無線機へ送信する送信部と、を備える無線通信装置を提供する。
【発明の効果】
【００１０】
本発明により、所定の機能を使用している無線機を基準とした発呼の抑制を行うことができる無線通信装置を提供することができる。
【図面の簡単な説明】
【００１１】
【図１】実施の形態１にかかる無線システムの構成例を示す模式図である。
【図２】実施の形態１にかかる無線通信装置の構成例を示すブロック図である。
【図３】実施の形態１にかかる無線システムの具体例を説明するための図である。
【図４Ａ】実施の形態１にかかる無線システムの処理の流れを示すシーケンス図である。
【図４Ｂ】実施の形態１にかかる無線システムの処理の流れを示すシーケンス図である。
【図５】実施の形態２にかかる無線システムの具体例を説明するための図である。
【図６Ａ】実施の形態２にかかる無線システムの処理の流れを示すシーケンス図である。
【図６Ｂ】実施の形態２にかかる無線システムの処理の流れを示すシーケンス図である。
【図７】実施の形態３にかかる無線システムの具体例を説明するための図である。
【図８Ａ】実施の形態３にかかる無線システムの処理の流れを示すシーケンス図である。
【図８Ｂ】実施の形態３にかかる無線システムの処理の流れを示すシーケンス図である。
【発明を実施するための形態】
【００１２】
以下、図面を参照して本発明の実施の形態について説明する。各図面において、同一又は対応する要素には同一の符号が付されており、説明の明確化のため、必要に応じて重複説明は省略される。
【００１３】
実施の形態１
まず、図１の模式図を用いて、本実施の形態１にかかる無線システム１０００の構成について説明する。図１に示すように、無線システム１０００は、無線通信装置１と、無線機Ａ１００と、無線機Ｂ２００と、無線機Ｃ１０１と、無線機Ｄ１０２と、無線機Ｅ１０３と、記憶部５００と、を備えている。なお、無線システム１０００は、例えば、業務用無線システムであるが、これに限らない。無線システム１０００は、例えば携帯電話回線等の公衆回線を用いた無線通信システムであってもよい。
【００１４】
無線通信装置１は、無線機Ａ１００、無線機Ｂ２００、無線機Ｃ１０１、無線機Ｄ１０２、及び無線機Ｅ１０３のそれぞれと無線通信を行うことができる装置である。無線通信装置１は、例えば、基地局、リピータ（Repeater）等である。
【００１５】
無線機Ａ１００、無線機Ｂ２００、無線機Ｃ１０１、無線機Ｄ１０２、及び無線機Ｅ１０３は、無線通信装置１を介して無線通信を行うことができる装置である。なお、無線機Ａ１００、無線機Ｂ２００、無線機Ｃ１０１、無線機Ｄ１０２、及び無線機Ｅ１０３の自身を特定するUnit ID（以下、ＵＩＤと呼ぶ）は、それぞれ１００、２００、１０１、１０２、１０３とする。なお、各無線機は、自位置を検出する手段を備える。自位置を検出する手段は、例えば衛星等からの信号により自位置を測位するものであるが、これに限らない。自位置を検出する手段は、周知の位置検出技術のいずれにより構成されてもよい。
【００１６】
無線機Ａ１００には、所定の機能が実装されている。なお、所定の機能とは、例えば、無線機Ａ１００の近距離に音声を伝達する機能である。所定の機能の具体例としては、例えば、マイクで集音した音声を拡声してスピーカから出力する拡声機能や、Bluetooth（登録商標）等の近距離無線通信機能である。なお、拡声機能のことをＰＡ（Public Address）機能とも呼ぶ。なお、無線機Ａ１００は、例えば、車載型の無線機であるが、これに限らない。無線機Ａ１００のことを第１の無線機とも呼ぶ。
【００１７】
記憶部５００は、無線通信装置１によるアクセスが可能な記憶媒体である。記憶部５００は、例えば、基地局に備えられるものである。すなわち、無線通信装置１が基地局である場合には、記憶部５００は、無線通信装置１に備えられる構成であってもよい。
【００１８】
続いて、図２のブロック図を用いて、本実施の形態１にかかる無線通信装置１の構成について説明する。本実施の形態１にかかる無線通信装置１は、第１の受信部１０と、第２の受信部２０と、取得部３０と、判定部４０と、送信部５０と、を備えている。
【００１９】
第１の受信部１０は、第１の無線機（無線機Ａ１００）から所定の機能の開始通知及び所定の機能の終了通知を受信する。また、第１の受信部１０は、受信された所定の機能の開始通知及び所定の機能の終了通知を判定部４０へ出力する。
【００２０】
第２の受信部２０は、第２の無線機への個別音声通信（以下、Individual Callとも呼ぶ）発呼許可要求を第３の無線機から受信する。また、第２の受信部２０は、受信されたIndividual Call発呼許可要求を判定部４０へ出力する。
【００２１】
取得部３０は、第１の無線機と第２の無線機との間の距離を取得する。例えば、取得部３０は、ＣＰＵ（Central Processing Unit）等にプログラムを実行させることにより、第１の無線機の位置と第２の無線機の位置との間の距離を算出することによって距離を取得する。また、取得部３０は、取得された距離を判定部４０へ出力する。なお、取得部３０による距離の取得は、判定部４０から距離取得依頼を受け取った場合に行うようにしてもよい。
【００２２】
判定部４０は、所定の機能の開始通知を受信してから所定の機能の終了通知を受信するまでの間に、Individual Call発呼許可要求を受信した場合、取得部３０から受け取った距離を参照する。そして、判定部４０は、取得部３０から受け取った距離が所定距離以内か否かに基づいて、Individual Call発呼許可要求に対して不許可とするか許可とするかを判定する。具体的には、判定部４０は、取得部３０から受け取った距離が所定距離以内のときには、Individual Call発呼許可要求に対して不許可と判定する。また、判定部４０は、取得部３０から受け取った距離が所定距離以内でないときには、Individual Call発呼許可要求に対して許可と判定する。なお、判定部４０の処理は、ＣＰＵ等にプログラムを実行させることによって実現できる。判定部４０は、Individual Call発呼許可要求に対する判定結果を送信部５０へ出力する。なお、判定部４０は、所定の機能の開始通知を受信してから終了通知を受信するまでの間に、Individual Call発呼許可要求を受信した場合に、第１の無線機と第２の無線機との間の距離の取得を依頼する距離取得依頼を取得部３０へ出力するようにしてもよい。
【００２３】
送信部５０は、判定結果を判定部４０から受け取る。そして、送信部５０は、Individual Call発呼許可要求に対する回答、すなわち許可又は不許可を第３の無線機へ送信する。
【００２４】
第３の無線機は、Individual Call発呼許可要求に対する不許可の回答を受信することにより、第２の無線機への個別音声通信の発呼を行うことができない。このため、第２の無線機は、第３の無線機との個別音声通信による音声再生をすることはない。
【００２５】
無線通信装置１は、上述した構成を備えることにより、第１の無線機で所定の機能を使用している間は、第１の無線機との距離が所定距離以内である第２の無線機への発呼を不許可にすることができる。これにより、第１の無線機の所定の機能が、第２の無線機の音声再生によって妨げられることを防ぐことができる。
【００２６】
続いて、図３、図４Ａ及び図４Ｂを用いて、実施の形態１の具体例について説明する。なお、図３、図４Ａ及び図４Ｂにおいて、同じステップ番号では同じ処理が実行される。本例では、所定の機能として拡声機能を用いている。また、本例では、無線機Ｃ１０１が第２の無線機であり、無線機Ｂ２００が第３の無線機である。
【００２７】
図４Ａ及び図４Ｂのシーケンス図を用いて、無線システム１０００の処理の流れの具体例を説明する。まず、各無線機は、電源がオンされると、定期的に自身の位置情報を取得し、位置情報と自身を特定するＵＩＤを無線通信装置１へ送信する（ステップＳ１０１）。なお、位置情報の具体例は、緯度・経度情報である。
【００２８】
次に、無線通信装置１は、各無線機から受信された位置情報及びＵＩＤを記憶部５００のテーブル５０１へ記憶する（ステップＳ１０２）。なお、テーブル５０１は、各無線機のＵＩＤと位置情報とを対応付けて記憶するテーブルである。
【００２９】
この段階では、無線機Ａ１００による拡声機能は開始されていない。このため、無線通信装置１は、無線機Ｂ２００から無線機Ｃ１０１を発呼先とするIndividual Call発呼許可要求を受信すると（ステップＳａ）、Individual Call発呼許可を無線機Ｂ２００へ送信する（ステップＳｂ）。これにより、無線機Ｂ２００は、Individual Callの発呼を行い（ステップＳｃ）、無線通信装置１は、Individual Callの発呼を無線機Ｃ１０１へ中継する（ステップＳｄ）。なお、Individual Call発呼許可要求には、発呼先の無線機Ｃ１０１のＵＩＤ（１０１）が含まれている。
【００３０】
次に、無線機Ａ１００のユーザは、拡声機能を使用するため、無線機Ａ１００の図示しない拡声ボタンを押下する（ステップＳ１０３ａ）。拡声ボタンが押下されると無線機Ａ１００は、自身のＵＩＤ（１００）を含む拡声機能開始通知を無線通信装置１へ送信する（ステップＳ１０３ｂ）。すなわち、無線通信装置１は、第１の受信部１０により、無線機Ａ１００のＵＩＤを含む拡声機能開始通知を無線機Ａ１００から受信する。
【００３１】
次に、無線通信装置１は、ステップＳ１０３ｂで受信した拡声機能開始通知に含まれるＵＩＤ（１００）を記憶部５００のテーブル５０２へ記憶する（ステップＳ１０４）。なお、テーブル５０２は、拡声機能を使用中の無線機のＵＩＤを記憶するテーブルである。
【００３２】
次に、無線通信装置１は、拡声機能開始確認を無線機Ａ１００へ送信する（ステップＳ１０５）。
【００３３】
拡声機能開始確認を受信した無線機Ａ１００は、例えばビープ音を鳴らす等により、拡声機能開始確認を受信した旨をユーザに伝える（ステップＳ１０６ａ）。また、この時点より、無線機Ａ１００は、マイクで集音した音声を拡声してスピーカから出力する（ステップＳ１０６ｂ）。無線機Ａ１００のユーザは、発話して拡声機能による音声伝達を開始する（ステップＳ１０６ｃ）。
【００３４】
次に、無線機Ｂ２００のユーザは、無線機Ｃ１０１とIndividual Callを行うため、無線機Ｃ１０１のＵＩＤを指定操作後、図示しないＰＴＴ（Push to Talk）ボタンを押下する。無線機Ｂ２００は、ＰＴＴボタンを押下されると、発呼先の無線機Ｃ１０１のＵＩＤ（１０１）を含むIndividual Call発呼許可要求を無線通信装置１へ送信する（ステップＳ１０７）。すなわち、無線通信装置１は、第２の受信部２０により、発呼先の無線機Ｃ１０１のＵＩＤを含むIndividual Call発呼許可要求を無線機Ｂ２００から受信する。
【００３５】
次に、無線通信装置１は、判定部４０により、テーブル５０２に拡声機能を使用中の無線機のＵＩＤとして１００が記憶されていることから、無線機Ａ１００で拡声機能が使用されていると判断する。また、無線通信装置１は、取得部３０により、テーブル５０１を参照して、無線機Ａ１００の位置（地点Ａ）とIndividual Callの発呼先である無線機Ｃ１０１の位置（地点Ｃ）との距離を取得する。そして、無線通信装置１は、判定部４０により、無線機Ａ１００の位置と無線機Ｃ１０１の位置との距離が所定距離以内か否かを判定する。なお本例における所定距離は１０ｍである。本例では、図３に示すように、無線機Ａ１００の位置と無線機Ｃ１０１の位置との距離は１０ｍ以内である。このため、無線通信装置１は、判定部４０により、無線機Ａ１００の位置と無線機Ｃ１０１の位置との距離は所定距離以内であると判定する。これにより、無線通信装置１は、判定部４０により、無線機Ｂ２００のIndividual Call発呼許可要求に対して発呼不許可と判定する（ステップＳ１０８）。
【００３６】
次に、無線通信装置１は、送信部５０により、Individual Call発呼不許可を無線機Ｂ２００へ送信する（ステップＳ１０９）。
【００３７】
無線機Ｂ２００は、Individual Call発呼不許可を受信した場合、その旨をユーザに伝えるとともに、Individual Callの発呼を行わない（ステップＳ１１０）。
【００３８】
なお、ステップＳ１０７において、無線通信装置１が、無線機Ｅ１０３を発呼先としたIndividual Call発呼許可要求を受信した場合には、図３に示すように、無線機Ａ１００と無線機Ｅ１０３との距離は、所定距離１０ｍ以内ではない。この場合、無線通信装置１は、Individual Call発呼許可を無線機Ｂ２００へ送信する。これにより、Individual Call発呼許可を受信した無線機Ｂ２００は、無線機Ｅ１０３を発呼先としたIndividual Callを発呼する。
【００３９】
無線機Ａ１００のユーザは、発話が終了すると（ステップＳ１１１ａ）、拡声ボタンを解放して（ステップＳ１１１ｂ）、拡声機能による音声伝達を終了する（ステップＳ１１１ｃ）。無線機Ａ１００は、拡声ボタンが解放されると、無線機Ａ１００のＵＩＤを含む拡声機能終了通知を無線通信装置１へ送信する（ステップＳ１１１ｄ）。すなわち、無線通信装置１は、第１の受信部１０により、無線機Ａ１００のＵＩＤを含む拡声機能終了通知を無線機Ａ１００から受信する。
【００４０】
無線通信装置１は、拡声機能終了通知を受信すると、ステップＳ１０５で送信した拡声機能開始確認により開始された拡声機能が終了したと判断し、テーブル５０２に拡声機能使用中無線機のＵＩＤとして記録されている１００をクリアする（ステップＳ１１２）。
【００４１】
上記ステップＳ１０１〜Ｓ１１２により、図４Ｂに示すIndividual Call発呼制限期間において、Individual Callの発呼が制限される。なお、図４ＡのステップＳａ〜Ｓｄは、Individual Call発呼制限期間ではないため、無線機Ｃ１０１へIndividual Callの発呼が行われる。
【００４２】
以上のように、本実施の形態１にかかる無線通信装置１は、第１の無線機から拡声機能の開始通知を受信してから終了通知を受信するまでの間に、第２の無線機へのIndividual Call発呼許可要求を第３の無線機から受信したかを判断する構成としている。また、無線通信装置１は、拡声機能の開始通知を受信してから終了通知を受信するまでの間に、Individual Call発呼許可要求を受信した場合、第１の無線機と第２の無線機との間の距離が所定距離以内か否かを判定する構成としている。また、無線通信装置１は、第１の無線機と第２の無線機との間の距離が所定距離以内のときには、Individual Call発呼許可要求に対して不許可と判定し、Individual Call発呼許可要求に対して不許可であることを示す回答を第３の無線機へ送信する構成としている。これにより、本実施の形態１にかかる無線通信装置１では、第１の無線機で拡声機能を使用している間は、第１の無線機との距離が所定距離以内の無線機における個別音声通信の受信を抑制制御することができる。このため、無線通信装置１は、第１の無線機の拡声機能による拡声音声の伝達に不都合が生じることを抑えることができる。
【００４３】
なお、所定の機能が拡声機能である場合に、無線通信装置１は、拡声機能の音量も受信し、この音量にも基づいてIndividual Call発呼許可要求に対して不許可とするか許可とするかを判定するようにしてもよい。この場合、無線通信装置１は、第１の受信部１０により、拡声機能の開始通知とともに拡声機能の音量を第１の受信機から受信する。また、無線通信装置１は、判定部４０により、Individual Call発呼許可要求に対して不許可とするか許可とするかの判定に拡声機能の音量も用いる。例えば、無線通信装置１は、拡声機能の音量に基づいて、所定距離を変化させるようにしてもよい。具体的には、拡声機能の音量が大きくなるほど所定距離の値を大きくするようにしてもよい。これにより、拡声機能の音量に応じた範囲の無線機における個別音声通信の受信を抑制制御することができる。なお、以下に説明する他の実施の形態にも拡声機能の音量に基づく制御を適用することができる。
【００４４】
実施の形態１の変形例
続いて、実施の形態１の変形例について説明する。実施の形態１は、個別音声通信を抑制することについての実施の形態であったが、実施の形態１の変形例は、グループ音声通信（以下、Group Callとも呼ぶ）を抑制することについての実施の形態である。
【００４５】
実施の形態１の変形例にかかる無線システム１０００Ａは、無線通信装置１Ａと、無線機Ａ１００と、無線機Ｂ２００と、無線機Ｃ１０１と、無線機Ｄ１０２と、無線機Ｅ１０３と、記憶部５００と、を備えている。なお、無線システム１０００Ａの構成は、図１の無線システム１０００の構成と同様であり、図示を省略する。
【００４６】
本例では、無線機Ｂ２００、無線機Ｃ１０１、及び無線機Ｄ１０２には、同一のグループＩＤ（以下、ＧＩＤとも呼ぶ）として３００が設定されているものとする。同一のＧＩＤが設定されている複数の無線機間では、Group Callを行うことができる。
【００４７】
続いて、無線通信装置１Ａの構成について説明する。無線通信装置１Ａは、第１の受信部１０と、第２の受信部２０Ａと、取得部３０Ａと、判定部４０Ａと、送信部５０Ａと、を備えている。なお、無線通信装置１Ａの構成は、図２の無線通信装置１の構成と同様であり、図示を省略する。
【００４８】
第２の受信部２０Ａは、複数の第２の無線機で構成される無線機グループへのGroup Call発呼許可要求を第３の無線機から受信する。また、第２の受信部２０Ａは、受信されたGroup Call発呼許可要求を判定部４０Ａへ出力する。
【００４９】
取得部３０Ａは、第１の無線機と複数の第２の無線機との間の各距離を取得する。また、取得部３０Ａは、取得された各距離を判定部４０Ａへ出力する。
【００５０】
判定部４０Ａは、所定の機能の開始通知を受信してから所定の機能の終了通知を受信するまでの間に、Group Call発呼許可要求を受信した場合、取得部３０Ａから受け取った各距離を参照する。そして、判定部４０Ａは、取得部３０Ａから受け取った各距離に基づいて、Group Call発呼許可要求に対して不許可とするか許可とするかを判定する。例えば、判定部４０Ａは、各距離のうち１つでも所定距離以内の距離がある場合に、Group Call発呼許可要求に対して不許可と判定する。判定部４０Ａは、Group Call発呼許可要求に対する判定結果を送信部５０Ａへ出力する。なお、判定の方法は、上述した方法に限らない。例えば、判定部４０Ａは、各距離のうち１つでも所定距離以内ではない距離がある場合に、Group Call発呼許可要求に対して許可と判定するようにしてもよい。
【００５１】
送信部５０Ａは、判定結果を判定部４０Ａから受け取る。そして、送信部５０Ａは、Group Call発呼許可要求に対する回答、すなわち許可又は不許可を第３の無線機へ送信する。
【００５２】
第３の無線機は、Group Call発呼許可要求に対する不許可の回答を受信することにより、複数の第２の無線機で構成される無線機グループへのグループ音声通信の発呼を行うことができない。このため、複数の第２の無線機は、第３の無線機とのグループ音声通信による音声再生をすることはない。
【００５３】
続いて、具体例について説明する。なお、本例では、第１の無線機と複数の第２の無線機との間の各距離のうち１つでも所定距離以内の距離がある場合に、Group Call発呼許可要求に対して不許可と判定するものとして説明する。
【００５４】
無線通信装置１Ａは、第１の受信部１０により無線機Ａ１００から拡声機能の開始通知を受信してから終了通知を受信するまでの間に、第２の受信部２０ＡによりＧＩＤが３００であるグループへのGroup Call発呼許可要求を無線機Ｂ２００から受信したとする。この場合、無線通信装置１Ａは、取得部３０Ａにより、無線機Ａ１００とＧＩＤが３００であるグループを構成する無線機Ｃ１０１及び無線機Ｄ１０２との各距離を取得する。
【００５５】
次に、無線通信装置１Ａは、判定部４０Ａにより、無線機Ａ１００と無線機Ｃ１０１との距離、及び無線機Ａ１００と無線機Ｄ１０２との距離のうち１つでも所定距離以内の距離がある場合に、Group Call発呼許可要求に対して不許可と判定する。
【００５６】
そして、無線通信装置１Ａは、送信部５０Ａにより、不許可としたGroup Call発呼許可要求に対する回答を無線機Ｂ２００へ送信する。
【００５７】
以上のように、本実施の形態１の変形例にかかる無線通信装置１Ａは、上述した構成により、第１の無線機で所定の機能を使用している間は、第１の無線機と複数の第２の無線機との間の各距離に基づいて、複数の第２の無線機で構成される無線機グループへのグループ音声通信の発呼を不許可にすることができる。これにより、第１の無線機の所定の機能が、第２の無線機の音声再生によって妨げられることを防ぐことができる。
【００５８】
実施の形態２
続いて、実施の形態２について説明する。実施の形態２にかかる無線システム１０００Ｂは、無線通信装置１Ｂと、無線機Ａ１００と、無線機Ｂ２００と、無線機Ｃ１０１と、無線機Ｄ１０２と、無線機Ｅ１０３と、記憶部５００Ｂと、を備えている。なお、無線システム１０００Ｂの構成は、図１の無線システム１０００の構成と同様であり、図示を省略する。
【００５９】
本例では、無線機Ａ１００、無線機Ｂ２００、無線機Ｃ１０１、及び無線機Ｄ１０２には、同一のＧＩＤが設定されているものとする。
【００６０】
続いて、無線通信装置１Ｂの構成について説明する。無線通信装置１Ｂは、第１の受信部１０と、第２の受信部２０と、取得部３０Ｂと、判定部４０Ｂと、送信部５０と、を備えている。なお、無線通信装置１Ｂの構成は、図２の無線通信装置１の構成と同様であり、図示を省略する。
【００６１】
取得部３０Ｂは、第１の無線機が属するグループのＩＤである第１ＧＩＤと、第２の無線機が属するグループのＩＤである第２ＧＩＤとを取得する。また、取得部３０Ｂは、第１ＧＩＤ及び第２ＧＩＤを判定部４０Ｂへ出力する。
【００６２】
判定部４０Ｂは、所定の機能の開始通知を受信してから所定の機能の終了通知を受信するまでの間に、Individual Call発呼許可要求を受信した場合、取得部３０Ｂから受け取った第１ＧＩＤ及び第２ＧＩＤを参照する。そして、判定部４０Ｂは、第１ＧＩＤと第２ＧＩＤとを比較することにより、Individual Call発呼許可要求に対して不許可とするか許可とするかを判定する。具体的には、判定部４０Ｂは、第１ＧＩＤと第２ＧＩＤとが一致するときには、Individual Call発呼許可要求に対して不許可と判定する。また、判定部４０Ｂは、第１ＧＩＤと第２ＧＩＤとが一致しないときには、Individual Call発呼許可要求に対して許可と判定する。判定部４０Ｂは、Individual Call発呼許可要求に対する判定結果を送信部５０へ出力する。
【００６３】
無線通信装置１Ｂは、上述した構成を備えることにより、第１の無線機で所定の機能を使用している間は、第１の無線機と同じグループに属する第２の無線機へのIndividual Callの発呼を不許可にすることができる。同じグループに属する無線機同士は、近くに位置することがあり得る。このため、第１の無線機と同じグループに属する第２の無線機へのIndividual Callの発呼を不許可にすることにより、第１の無線機の所定の機能が、第２の無線機の音声再生によって妨げられることを防ぐことができる。
【００６４】
続いて、図５、図６Ａ及び図６Ｂを用いて、実施の形態２の具体例について説明する。なお、この例では、無線機Ｃ１０１が第２の無線機であり、無線機Ｂ２００が第３の無線機である。
【００６５】
図６Ａ及び図６Ｂのシーケンス図を用いて、無線システム１０００Ｂの処理の流れの具体例を説明する。まず、各無線機は、電源がオンされると、定期的に自身を特定するＵＩＤと自身が属するグループのＧＩＤを無線通信装置１Ｂへ送信する（ステップＳ２０１）。
【００６６】
次に、無線通信装置１Ｂは、各無線機から受信されたＵＩＤ及びＧＩＤを記憶部５００Ｂのテーブル５０３へ記憶する（ステップＳ２０２）なお、テーブル５０３は、各無線機のＵＩＤとＧＩＤとを対応付けて記憶するテーブルである。本例では、図５のテーブル５０３に示されるように、無線機Ａ１００、無線機Ｂ２００、無線機Ｃ１０１、及び無線機Ｄ１０２のＧＩＤは３００と記憶され、無線機Ｅ１０３のＧＩＤは４００と記憶される。
【００６７】
次に、無線機Ａ１００のユーザは、拡声機能を使用するため、無線機Ａ１００の図示しない拡声ボタンを押下する（ステップＳ２０３ａ）。拡声ボタンが押下されると無線機Ａ１００は、自身のＧＩＤ（３００）を含む拡声機能開始通知を無線通信装置１Ｂへ送信する（ステップＳ２０３ｂ）。すなわち、無線通信装置１Ｂは、第１の受信部１０により、無線機Ａ１００のＧＩＤを含む拡声機能開始通知を無線機Ａ１００から受信する。
【００６８】
次に、無線通信装置１Ｂは、ステップＳ２０３ｂで受信した拡声機能開始通知に含まれるＧＩＤ（３００）を記憶部５００Ｂのテーブル５０４へ記憶する（ステップＳ２０４）。なお、テーブル５０４は、拡声機能を使用中の無線機のＧＩＤを記憶するテーブルである。
【００６９】
ステップＳ２０５〜Ｓ２０７は、図４ＢのステップＳ１０５〜Ｓ１０７と同様であり、説明を省略する。
【００７０】
次に、無線通信装置１Ｂは、取得部３０Ｂにより、テーブル５０４を参照して、拡声機能を使用中の無線機のＧＩＤとして記憶されている３００を取得する。また、無線通信装置１Ｂは、取得部３０Ｂにより、テーブル５０３を参照して、Individual Call発呼許可要求の発呼先である無線機Ｃ１０１のＧＩＤとして３００を取得する。そして、無線通信装置１Ｂは、判定部４０Ｂにより、拡声機能を使用中の無線機のＧＩＤとIndividual Call発呼許可要求の発呼先である無線機Ｃ１０１のＧＩＤとが同一であると判定する。これにより、無線通信装置１Ｂは、判定部４０Ｂにより、無線機Ｂ２００のIndividual Call発呼許可要求に対して発呼不許可と判定する（ステップＳ２０８）。
【００７１】
ステップＳ２０９〜Ｓ２１１は、図４ＢのステップＳ１０９〜Ｓ１１１と同様であり、説明を省略する。
【００７２】
無線通信装置１Ｂは、拡声機能終了通知を受信すると、ステップＳ２０５で送信した拡声機能開始確認により開始された拡声機能が終了したと判断し、テーブル５０４に拡声機能使用中無線機のＧＩＤとして記録されている３００をクリアする（ステップＳ２１２）。
【００７３】
なお、ステップＳ２０７において、無線通信装置１Ｂが、無線機Ｅ１０３を発呼先としたIndividual Call発呼許可要求を受信した場合には、拡声機能使用中無線機のＧＩＤである３００と無線機Ｅ１０３のＧＩＤである４００とが異なる。このため、無線通信装置１Ｂは、Individual Call発呼許可を無線機Ｂ２００へ送信する。これにより、Individual Call発呼許可を受信した無線機Ｂ２００は、無線機Ｅ１０３を発呼先としたIndividual Callを発呼する。
【００７４】
以上のように、本実施の形態２にかかる無線通信装置１Ｂは、第１の無線機から拡声機能の開始通知を受信してから終了通知を受信するまでの間に、第２の無線機へのIndividual Call発呼許可要求を第３の無線機から受信したかを判断する構成としている。また、無線通信装置１Ｂは、拡声機能の開始通知を受信してから終了通知を受信するまでの間に、Individual Call発呼許可要求を受信した場合、拡声機能を使用中のＧＩＤとIndividual Call発呼許可要求の発呼先の無線機のＧＩＤとが一致するか否かを判定する。また、無線通信装置１Ｂは、両者のＧＩＤが一致するときには、Individual Call発呼許可要求に対して不許可と判定し、Individual Call発呼許可要求に対して不許可であることを示す回答を第３の無線機へ送信する構成としている。これにより、本実施の形態２にかかる無線通信装置１Ｂでは、第１の無線機で拡声機能を使用している間は、第１の無線機と同一のグループの無線機における個別音声通信の受信を抑制制御することができる。このため、無線通信装置１Ｂは、第１の無線機の拡声機能による拡声音声の伝達に不都合が生じることを抑えることができる。
【００７５】
なお、本実施の形態２が実施されるケースとしては、例えば、以下のような場合である。チーム等の特定の単位で同一のＧＩＤを有することが一般に想定される。無線機Ａ１００のユーザは、無線機Ａ１００と同一のＧＩＤが設定されているチームのメンバーに対して音声伝達を行いたいと考える。また、無線機Ａ１００のユーザは、チームのメンバーが拡声機能による拡声音声が聞こえる範囲に集まっていることを認識する。このような場合、無線通信によるトラフィックを軽減するために、無線機Ａ１００のユーザは、無線機Ａ１００により、Group Callを行う代わりに拡声機能による音声伝達を行う。
【００７６】
また、無線機Ａ１００のユーザが拡声機能による音声伝達を行っている間に、無線機Ｂ２００のユーザは、無線機Ｃ１０１に対しIndividual Callをしようと考え、Individual Call発呼許可要求を送信する。この場合、無線機Ｃ１０１は拡声機能を使用している無線機Ａ１００と同一のグループであるため、無線通信装置１Ｂは、無線機Ｃ１０１に対する無線機Ｂ２００のIndividual Callを抑制制御する。これにより、無線機Ａ１００は、無線トラフィックは使用していないが、拡声機能によって仮想的に無線トラフィックを使用しているが如くチームのメンバーに対して音声伝達を行うことができる。
【００７７】
実施の形態２の変形例
続いて、実施の形態２の変形例について説明する。実施の形態２は、個別音声通信を抑制することについての実施の形態であったが、実施の形態２の変形例は、グループ音声通信を抑制することについての実施の形態である。
【００７８】
実施の形態２の変形例にかかる無線システム１０００Ｃは、無線通信装置１Ｃと、無線機Ａ１００と、無線機Ｂ２００と、無線機Ｃ１０１と、無線機Ｄ１０２と、無線機Ｅ１０３と、記憶部５００Ｂと、を備えている。なお、無線システム１０００Ｃの構成は、図１の無線システム１０００の構成と同様であり、図示を省略する。
【００７９】
本例では、無線機Ａ１００、無線機Ｂ２００、無線機Ｃ１０１、及び無線機Ｄ１０２には、同一のＧＩＤとして３００が設定されているものとする。
【００８０】
続いて、無線通信装置１Ｃの構成について説明する。無線通信装置１Ｃは、第１の受信部１０と、第２の受信部２０Ａと、取得部３０Ｃと、判定部４０Ｃと、送信部５０Ａと、を備えている。なお、無線通信装置１Ｃの構成は、図２の無線通信装置１の構成と同様であり、図示を省略する。
【００８１】
取得部３０Ｃは、第１の無線機が属するグループのＩＤである第１ＧＩＤと、Group Callの宛先のグループのＩＤである第２ＧＩＤとを取得する。また、取得部３０Ｃは、第１ＧＩＤ及び第２ＧＩＤを判定部４０Ｃへ出力する。
【００８２】
判定部４０Ｃは、所定の機能の開始通知を受信してから所定の機能の終了通知を受信するまでの間に、Group Call発呼許可要求を受信した場合、取得部３０Ｃから受け取った第１ＧＩＤ及び第２ＧＩＤを参照する。そして、判定部４０Ｃは、第１ＧＩＤと第２ＧＩＤとが一致するときには、Group Call発呼許可要求に対して不許可と判定する。判定部４０Ｃは、Group Call発呼許可要求に対する判定結果を送信部５０Ａへ出力する。
【００８３】
続いて、具体例について説明する。無線通信装置１Ｃは、第１の受信部１０により無線機Ａ１００から拡声機能の開始通知を受信してから終了通知を受信するまでの間に、第２の受信部２０ＡによりＧＩＤが３００であるグループへのGroup Call発呼許可要求を無線機Ｂ２００から受信したとする。この場合、無線通信装置１Ｃは、取得部３０Ｃにより、無線機Ａ１００が属するグループのＧＩＤである３００と、Group Callの宛先のグループのＩＤである３００とを取得する。
【００８４】
次に、無線通信装置１Ｃは、判定部４０Ｃにより、無線機Ａ１００が属するグループのＧＩＤである３００と、Group Callの宛先のグループのＩＤである３００とが一致するため、Group Call発呼許可要求に対して不許可と判定する。
【００８５】
そして、無線通信装置１Ｃは、送信部５０Ａにより、不許可としたGroup Call発呼許可要求に対する回答を無線機Ｂ２００へ送信する。
【００８６】
以上のように、本実施の形態２の変形例にかかる無線通信装置１Ｃは、上述した構成を備えることにより、第１の無線機で所定の機能を使用している間は、第１の無線機と同じグループに属する複数の第２の無線機へのGroup Callの発呼を不許可にすることができる。このため、第１の無線機の所定の機能が、第２の無線機の音声再生によって妨げられることを防ぐことができる。
【００８７】
実施の形態３
続いて、実施の形態３について説明する。実施の形態３は、実施の形態１の距離に基づく個別音声通信の抑制と、実施の形態２のＧＩＤに基づく個別音声通信の抑制とを組み合わせた実施の形態である。
【００８８】
実施の形態３にかかる無線システム１０００Ｄは、無線通信装置１Ｄと、無線機Ａ１００と、無線機Ｂ２００と、無線機Ｃ１０１と、無線機Ｄ１０２と、無線機Ｅ１０３と、記憶部５００Ｄと、を備えている。なお、無線システム１０００Ｄの構成は、図１の無線システム１０００の構成と同様であり、図示を省略する。なお、本例では、無線機Ａ１００、無線機Ｂ２００、無線機Ｃ１０１、及び無線機Ｄ１０２には、同一のＧＩＤが設定されているものとする。
【００８９】
続いて、無線通信装置１Ｄの構成について説明する。無線通信装置１Ｄは、第１の受信部１０と、第２の受信部２０と、取得部３０Ｄと、判定部４０Ｄと、送信部５０と、を備えている。なお、無線通信装置１Ｄの構成は、図２の無線通信装置１の構成と同様であり、図示を省略する。
【００９０】
取得部３０Ｄは、実施の形態１の取得部３０の機能、及び実施の形態２の取得部３０Ｂの機能の両方を併せ持つ取得部である。すなわち、取得部３０Ｄは、第１の無線機と第２の無線機との間の距離と、第１の無線機が属するグループのＩＤである第１ＧＩＤと、第２の無線機が属するグループのＩＤである第２ＧＩＤとを取得する。また、取得部３０Ｄは、取得された距離、第１ＧＩＤ、及び第２ＧＩＤを判定部４０Ｄへ出力する。
【００９１】
判定部４０Ｄは、所定の機能の開始通知を受信してから所定の機能の終了通知を受信するまでの間に、Individual Call発呼許可要求を受信した場合、取得部３０Ｄから受け取った距離、第１ＧＩＤ、及び第２ＧＩＤを参照する。そして、判定部４０Ｄは、取得部３０Ｄから受け取った距離が所定距離以内か否か及び第１ＧＩＤと第２ＧＩＤとが一致するか否かに基づいて、Individual Call発呼許可要求に対して不許可とするか許可とするかを判定する。例えば、判定部４０Ｄは、取得部３０Ｄから受け取った距離が所定距離以内であり、且つ第１ＧＩＤと第２ＧＩＤとが一致する場合に、Individual Call発呼許可要求に対して不許可と判定する。なお、判定部４０Ｄは、取得部３０Ｄから受け取った距離が所定距離以内であること、及び第１ＧＩＤと第２ＧＩＤとが一致することのいずれか一方を満たす場合に、Individual Call発呼許可要求に対して不許可と判定するようにしてもよい。判定部４０Ｄは、Individual Call発呼許可要求に対する判定結果を送信部５０へ出力する。
【００９２】
続いて、図７、図８Ａ及び図８Ｂを用いて、実施の形態３の具体例について説明する。なお、この例では、無線機Ｃ１０１が第２の無線機であり、無線機Ｂ２００が第３の無線機である。
【００９３】
図８Ａ及び図８Ｂのシーケンス図を用いて、無線システム１０００Ｄの処理の流れの具体例を説明する。まず、各無線機は、電源がオンされると、定期的に自身の位置情報を取得し、位置情報、自身を特定するＵＩＤ、及び自身が属するグループのＧＩＤを無線通信装置１Ｄへ送信する（ステップＳ３０１）。
【００９４】
次に、無線通信装置１Ｄは、各無線機から受信された位置情報、ＵＩＤ、及びＧＩＤを記憶部５００Ｄのテーブル５０５へ記憶する（ステップＳ３０２）。なお、テーブル５０５は、各無線機のＵＩＤと位置情報とＧＩＤとを対応付けて記憶するテーブルである。
【００９５】
次に、無線機Ａ１００のユーザは、拡声機能を使用するため、無線機Ａ１００の図示しない拡声ボタンを押下する（ステップＳ３０３ａ）。拡声ボタンが押下されると無線機Ａ１００は、自身のＵＩＤ（１００）及びＧＩＤ（３００）を含む拡声機能開始通知を無線通信装置１Ｄへ送信する。すなわち、無線通信装置１Ｄは、第１の受信部１０により、無線機Ａ１００のＵＩＤ及びＧＩＤを含む拡声機能開始通知を無線機Ａ１００から受信する（ステップＳ３０３ｂ）。
【００９６】
次に、無線通信装置１Ｄは、ステップＳ３０３ｂで受信した拡声機能開始通知に含まれるＵＩＤ（１００）、ＧＩＤ（３００）を、それぞれ記憶部５００Ｄのテーブル５０２、テーブル５０４へ記憶する（ステップＳ３０４）。
【００９７】
ステップＳ３０５〜Ｓ３０７は、図４ＢのステップＳ１０５〜Ｓ１０７と同様であり、説明を省略する。
【００９８】
次に、無線通信装置１Ｄは、判定部４０Ｄにより、テーブル５０２を参照して無線機Ａ１００で拡声機能が使用されていると判断する。また、無線通信装置１Ｄは、取得部３０Ｄにより、テーブル５０５を参照して、無線機Ａ１００の位置（地点Ａ）とIndividual Callの発呼先である無線機Ｃ１０１の位置（地点Ｃ）との距離を取得する。そして、無線通信装置１Ｄは、判定部４０Ｄにより、無線機Ａ１００の位置と無線機Ｃ１０１の位置との距離が所定距離以内か否かを判定する。本例では、無線機Ａ１００の位置と無線機Ｃ１０１の位置との距離は１０ｍ以内であるため、無線通信装置１Ｄは、判定部４０Ｄにより、無線機Ａ１００の位置と無線機Ｃ１０１の位置との距離は所定距離以内であると判定する。
【００９９】
また、無線通信装置１Ｄは、取得部３０Ｄにより、テーブル５０４を参照して、拡声機能を使用中の無線機のＧＩＤとして記憶されている３００を取得する。また、無線通信装置１Ｄは、取得部３０Ｄにより、テーブル５０５を参照して、Individual Call発呼許可要求の発呼先である無線機Ｃ１０１のＧＩＤとして３００を取得する。そして、無線通信装置１Ｄは、判定部４０Ｄにより、拡声機能使用中無線機のＧＩＤとIndividual Call発呼許可要求の発呼先である無線機Ｃ１０１のＧＩＤとが同一であると判定する。
【０１００】
すなわち、無線機Ａ１００の位置と無線機Ｃ１０１の位置との距離が所定距離以内であり、且つ拡声機能使用中無線機のＧＩＤと発呼先の無線機Ｃ１０１のＧＩＤとが同一であるため、無線通信装置１Ｄは、発呼不許可と判定する（ステップＳ３０８）。
【０１０１】
ステップＳ３０９〜Ｓ３１１は、図４ＢのステップＳ１０９〜Ｓ１１１と同様であり、説明を省略する。
【０１０２】
無線通信装置１Ｄは、拡声機能終了通知を受信すると、ステップＳ３０５で送信した拡声機能開始確認により開始された拡声機能が終了したと判断し、テーブル５０２のＵＩＤ（１００）及びテーブル５０４のＧＩＤ（３００）をクリアする（ステップＳ３１２）。
【０１０３】
以上のように、本実施の形態３にかかる無線通信装置１Ｄは、第１の無線機から拡声機能の開始通知を受信してから終了通知を受信するまでの間に、第２の無線機へのIndividual Call発呼許可要求を第３の無線機から受信したかを判断する構成としている。また、無線通信装置１Ｄは、拡声機能の開始通知を受信してから終了通知を受信するまでの間に、Individual Call発呼許可要求を受信した場合、第１の無線機と第２の無線機との間の距離が所定距離以内か否かを判定する。また、この場合に、拡声機能使用中のＧＩＤとIndividual Call発呼許可要求の発呼先の無線機のＧＩＤとが一致するか否かも判定する。さらに、無線通信装置１Ｄは、距離の判定結果及びＧＩＤの判定結果に基づいて、Individual Call発呼許可要求に対して不許可とするか許可とするかを判定する構成としている。例えば、第１の無線機と第２の無線機との間の距離が所定距離以内であり、且つ拡声機能使用中のＧＩＤとIndividual Call発呼許可要求の発呼先の無線機のＧＩＤとが一致する場合に、Individual Call発呼許可要求に対して不許可と判定する。これにより、無線通信装置１Ｄでは、第１の無線機で拡声機能を使用している間は、第１の無線機との距離が所定距離以内であり、且つ第１の無線機と同一のグループの無線機における個別音声通信の受信を抑制制御することができる。すなわち、無線通信装置１Ｄは、第１の無線機と同一のグループの無線機であっても、第１の無線機との距離が所定距離以内ではない無線機に対する発呼許可要求は許可しつつ、第１の無線機による拡声音声の伝達に不都合が生じることを抑えることができる。
【０１０４】
実施の形態３の変形例
続いて、実施の形態３の変形例について説明する。実施の形態３は、個別音声通信を抑制することについての実施の形態であったが、実施の形態３の変形例は、グループ音声通信を抑制することについての実施の形態である。
【０１０５】
実施の形態３の変形例にかかる無線システム１０００Ｅは、無線通信装置１Ｅと、無線機Ａ１００と、無線機Ｂ２００と、無線機Ｃ１０１と、無線機Ｄ１０２と、無線機Ｅ１０３と、記憶部５００Ｄと、を備えている。なお、無線システム１０００Ｅの構成は、図１の無線システム１０００の構成と同様であり、図示を省略する。
【０１０６】
続いて、無線通信装置１Ｅの構成について説明する。無線通信装置１Ｅは、第１の受信部１０と、第２の受信部２０Ａと、取得部３０Ｅと、判定部４０Ｅと、送信部５０Ａと、を備えている。なお、無線通信装置１Ｅの構成は、図２の無線通信装置１の構成と同様であり、図示を省略する。
【０１０７】
取得部３０Ｅは、第１の無線機と複数の第２の無線機との間の各距離と、第１の無線機が属するグループのＩＤである第１ＧＩＤと、Group Callの宛先のグループのＩＤである第２ＧＩＤとを取得する。また、取得部３０Ｅは、取得された各距離、第１ＧＩＤ、及び第２ＧＩＤを判定部４０Ｅへ出力する。
【０１０８】
判定部４０Ｅは、所定の機能の開始通知を受信してから所定の機能の終了通知を受信するまでの間に、Group Call発呼許可要求を受信した場合、取得部３０Ｅから受け取った各距離、第１ＧＩＤ、及び第２ＧＩＤを参照する。そして、判定部４０Ｅは、取得部３０Ｅから受け取った各距離が所定距離以内か否か及び第１ＧＩＤと第２ＧＩＤとが一致するか否かに基づいて、Group Call発呼許可要求に対して不許可とするか許可とするかを判定する。判定の方法は、実施の形態３と同様であり説明を省略する。そして、判定部４０Ｅは、Group Call発呼許可要求に対する判定結果を送信部５０Ａへ送信する。
【０１０９】
以上のように、本実施の形態３の変形例にかかる無線通信装置１Ｅは、上述した構成を備えることにより、各距離の判定結果及びＧＩＤの判定結果に基づいて、Group Call発呼許可要求に対して不許可と判定することができる。このため、第１の無線機の所定の機能が、第２の無線機の音声再生によって妨げられることを防ぐことができる。
【０１１０】
なお、本発明は上記実施の形態に限られたものではなく、趣旨を逸脱しない範囲で適宜変更することが可能である。
【符号の説明】
【０１１１】
１、１Ａ、１Ｂ、１Ｃ、１Ｄ、１Ｅ  無線通信装置
１０  第１の受信部
２０、２０Ａ  第２の受信部
３０、３０Ａ、３０Ｂ、３０Ｃ、３０Ｄ、３０Ｅ  取得部
４０、４０Ａ、４０Ｂ、４０Ｃ、４０Ｄ、４０Ｅ  判定部
５０、５０Ａ  送信部
【図１】
2019153901.tif 000003
【図２】
2019153901.tif 000004
【図３】
2019153901.tif 000005
【図４Ａ】
2019153901.tif 000006
【図４Ｂ】
2019153901.tif 000007
【図５】
2019153901.tif 000008
【図６Ａ】
2019153901.tif 000009
【図６Ｂ】
2019153901.tif 000010
【図７】
2019153901.tif 000011
【図８Ａ】
2019153901.tif 000012
【図８Ｂ】
2019153901.tif 000013